(57)【特許請求の範囲】
【請求項１】
複数の欄干パネルを有し、踏段の左右両側のフレーム上に立設される欄干の梱包を行なう乗客コンベアの欄干梱包方法において、
前記フレームに取り付けられる前記欄干の取付け穴を利用して、２個以上の固定用ブラケットで前記フレームから分離された前記欄干のみを所定の角度をつけて前記欄干の左右端部がほぼ同じ高さとなるように梱包箱に固定するようにしたことを特徴とする乗客コンベアの欄干梱包方法。
【請求項２】
請求項１の記載において、前記固定用ブラケットに、前記欄干の長手方向と平行な方向に延びるノッチ穴を設けて、このノッチ穴と前記欄干の取付け穴とに締結ボルトを挿入することを特徴とする乗客コンベアの欄干梱包方法。
【請求項３】
請求項１の記載において、前記固定用ブラケットに位置決めストッパを備えたことを特徴とする乗客コンベアの欄干梱包方法。
【請求項４】
請求項１記載において、前記梱包箱に、少なくとも１個の欄干倒れ防止ストッパを取付けたことを特徴とする乗客コンベアの欄干梱包方法。
【請求項５】
請求項１〜４のいずれかの記載において、前記梱包箱および固定用ブラケットは、それぞれ使いまわし可能としたことを特徴とする乗客コンベアの欄干梱包方法。
【発明の詳細な説明】
【０００１】
【発明の属する技術分野】
本発明は、エスカレータや動く道路などの乗客コンベアの欄干梱包方法に係わり、特に、乗客コンベアのリニューアル工事の際に用いるのに好適な乗客コンベアの欄干梱包方法に関する。
【０００２】
【従来の技術】
図７は一般的なエスカレータの全体構造を示す側面図である。
【０００３】
一般に乗客コンベア、例えば図７に示すエスカレータは、傾斜部分を有するフレーム４と、このフレーム４上に立設される下部欄干（いわゆる下Ｒ欄干）１、上部欄干（いわゆる上Ｒ欄干）２、および中間欄干３とを有し、これらの欄干１〜３はそれぞれ欄干パネル１ａ〜３ａを備えている。下部欄干１は下側水平部分、上側傾斜部分および中間のいわゆるＲ部分から形成され、同様に上部欄干２は上側水平部分、下側傾斜部分および中間のＲ部分から形成され、一方、中間欄干３は傾斜部分のみで形成されている。
【０００４】
さらに、エスカレータは、図示を省略したが乗客を乗せて移動する複数の踏段と、これらの踏段と同期して欄干１〜３上を移動する移動手摺りと、踏段の左右両側に設けられて内デッキや外デッキと、乗降口に設けられるコームプレートやカバープレートなどの床板も備えている。
【０００５】
このようなエスカレータでは、設置後、例えば２０年以上も経過しているような場合、乗客が目にする意匠部品、すなわち欄干１〜３、移動手摺り、床板、踏段、および内デッキや外デッキなどが傷ついていたり汚れていることが多く、また、汚れが少ない場合でも形状やデザインが時代にそぐわなくなっていることが多く、例えば２０年以上前の意匠部品を現在の意匠部品と比較すると、安全性や信頼性の面で充分な配慮がなされていないものも多いため、従来より、かかる意匠部品を含む乗客コンベアのリニューアル工事が広く実施されている。
【０００６】
この種の従来の乗客コンベアのリニューアル方法としては、フレームを含む全ての既設構成部品、またはフレームを除く他の全ての既設構成部品を撤去して、新規の構成部品を単品ごとにまとめて工場より発送し、新規の乗客コンベアを設置するものが一般的であるが、このような従来のリニューアル方法では、リニューアル工期が長引くという問題がある。
【０００７】
そこで、上記のような従来の不具合を解決する一手段として、例えば特開昭５２−１４７８８３号公報に示されるように、据付時に取外す固定金具をつけた欄干組立品を据付現場に一体搬入して組立てる技術が提案されており、この従来の技術では、工場内で部分的に組立てた欄干を据付現地に運搬することにより、現地での工期を短縮することができる。
【０００８】
また、乗客コンベアの梱包方法としては、例えば特開平１−２５６４９１号公報に示されるように、フレームに欄干部品の一部を取付けた状態で梱包、発送する技術が提案されている。
【０００９】
【発明が解決しようとする課題】
ところで、上述した従来の技術にあっては、下部欄干１、上部欄干２を梱包、運搬時に横に寝かせてしまうと欄干パネル１ａ、２ａなどの欄干部品がズレたり、破損したりする可能性があるため、下部欄干１、上部欄干２を通常の立てた状態で梱包、運搬する必要があるが、この状態で運搬する際に振動により欄干１、２が倒れて破損するという懸念がある。
【００１０】
本発明は、上述した従来の技術における実情に鑑みてなされたもので、その目的は、乗客コンベアのリニューアル工事などの際に、欄干の梱包や運搬を容易にしかも確実に行なうことのできる乗客コンベアの欄干梱包方法を提供することにある。
【００１１】
【課題を解決するための手段】
上記目的を達成するため、本発明の請求項１に係わる発明は、複数の欄干パネルを有し、踏段の左右両側のフレーム上に立設される欄干の梱包を行なう乗客コンベアの欄干梱包方法において、前記フレームに取り付けられる前記欄干の取付け穴を利用して、２個以上の固定用ブラケットで前記フレームから分離された前記欄干のみを所定の角度をつけて前記欄干の左右端部がほぼ同じ高さとなるように梱包箱に固定する構成にしてある。
【００１２】
このように本発明の請求項１に係わる発明では、欄干の取付け穴を利用して２個以上の固定用ブラケットで欄干を梱包箱に固定するので、梱包や運搬時に欄干の転倒を防止することができ、これにより、欄干の梱包や運搬を容易にしかも確実に行なえる。また、梱包箱に所定の角度をつけて固定した欄干の高さおよび長さがそれぞれ比較的小さくなるので、梱包箱の高さ寸法、長さ寸法をそれぞれ比較的小さく設定することができ、これにより、欄干の梱包、運搬、搬入作業が比較的容易であり安価な梱包ができる。
【００１３】
また、本発明の請求項２に係わる発明は、請求項１に係わる発明において、前記固定用ブラケットに、前記欄干の長手方向と平行な方向に延びるノッチ穴を設けて、このノッチ穴と前記欄干の取付け穴とに締結ボルトを挿入する構成にしてある。
【００１４】
このように構成した本発明の請求項２に係わる発明では、欄干の長手方向と平行な方向に固定用ブラケットのノッチ穴を配置し、この固定用ブラケット上に欄干を乗せた後に、この欄干の取付け穴および固定用ブラケットのノッチ穴に締結ボルトを挿入して締め込むことができ、これにより、固定用ブラケットと欄干とを容易に締結することができる。
【００１５】
また、本発明の請求項３に係わる発明は、請求項１に係わる発明において、前記固定用ブラケットに位置決めストッパを備えた構成にしてある。
【００１６】
このように構成した本発明の請求項３に係わる発明では、固定用ブラケットと欄干とを締結する際に、固定用ブラケットの位置決めストッパに欄干の所定部位を当てることで位置決めを容易に行なえる。
【００１７】
また、本発明の請求項４に係わる発明は、請求項１に係わる発明において、前記梱包箱に、少なくとも１個の欄干倒れ防止ストッパを取付けた構成にしてある。
【００１８】
このように構成した本発明の請求項４に係わる発明では、欄干を梱包箱で梱包して運搬する際に欄干倒れ防止ストッパで欄干の振動が抑制されるので、欄干の転倒を確実に防止することができる。
【００１９】
また、本発明の請求項５に係わる発明は、請求項１〜４のいずれかに係わる発明において、前記梱包箱および固定用ブラケットは、それぞれ使いまわし可能とした構成にしてある。
【００２０】
このように構成した本発明の請求項５に係わる発明では、梱包箱および固定用ブラケットを使用した後にそれぞれ使いまわすことによって、欄干の梱包、運搬を比較的安価に行なえる。
【００２１】
【発明の実施の形態】
以下、本発明の乗客コンベアの欄干梱包方法の実施の形態を図に基づき説明する。
【００２２】
図１は本発明者らが考案した第１の参考例に係わるエスカレータの欄干梱包方法を説明する正面図、図２は図１に示す第１の参考例に設けられる固定用ブラケットの斜視図、図３は図１に示す第１の参考例に設けられる固定用ブラケットの変形例を示す斜視図である。なお、図１〜図３において前述した図７に示すものと同等のものには同一符号を付してある。
【００２３】
第１の参考例に係る欄干梱包方法では、図１に示すように、図７のフレーム４と下部欄干１の締結部４、５を利用して２個の固定用ブラケット６、７で下部欄干１を梱包箱８に固定するようになっており、締結部４、５には、それぞれ図示を省略したが締結ボルトが下部欄干１の長手方向にスライド可能に挿入される取付け穴が設けられている。
【００２４】
一方の固定用ブラケット６は、梱包箱８の底板８ａ上に設置される基板９と、この基板９上に立設される縦板１０と、この縦板１０の上端より側方に突出し、下部欄干１の締結部４を受ける上板１１とからなっている。この上板１１には、下部欄干１の長手方向と平行な方向に形成されるノッチ穴１２が設けられ、このノッチ穴１２と締結部４の取付け穴とに挿入される締結ボルトにより、固定用ブラケット６と下部欄干１とが締結される。同様に、他の固定用ブラケット７も梱包箱８の底板８ａ上に設置される基板１３と、この基板１３上に立設される縦板１４と、この縦板１４の上端より側方に突出して、下部欄干１の締結部５を受ける上板１５とから形成されている。この上板１５は下部欄干１の傾斜方向と平行に配置されるとともに、上板１５に、図示を省略したが締結ボルトが係合するノッチ穴が設けられている。
【００２５】
この第１の参考例の欄干梱包方法にあっては、固定用ブラケット６、７上に下部欄干１を載置して、この下部欄干１の締結部４、５および固定用ブラケット６、７をそれぞれで図示しない締結ボルトを介して締結し、これらの下部欄干１および固定用ブラケット６、７を梱包箱８に入れて、この梱包箱８の底板８ａに固定用ブラケット６、７を固定するようになっている。
【００２６】
このように構成した第１の参考例では、下部欄干１を梱包箱８で梱包して運搬する際に、梱包箱８の底板８ａに固定用ブラケット６、７を介して下部欄干１を固定したので、この下部欄干１の転倒を防止することができる。
【００２７】
また、この第１の参考例では、下部欄干１の長手方向と平行な方向に固定用ブラケット６のノッチ穴１２を配置し、固定用ブラケット６上に下部欄干１を乗せた後に、下部欄干１の締結部６の取付け穴に締結ボルトを挿入して締め込むことができるので、固定用ブラケット６と下部欄干１とを容易に締結することができる。同様に、他の固定用ブラケット７と下部欄干１とも容易に締結することができる。なお、上記のノッチ穴１２の代わりに、固定用ブラケット６に丸穴もしくは長穴を設けた場合、下部欄干１の締結部４の取付け穴に挿入した締結ボルトを上記の丸穴もしくは長穴に合わせながら、固定用ブラケット６上に下部欄干１を乗せる必要があるため締結作業が困難となる。
【００２８】
なお、第１の参考例の欄干梱包方法では、固定用ブラケット６の上板１１を平坦状に形成したが、図３に示すように、固定用ブラケット６の上板１１の端部より上方に突出する位置決めストッパ１６を備えてもよく、この場合には、位置決めストッパ１６に下部欄干１の締結部４の所定部位を当てることで位置決めを容易に行なえる。
【００２９】
図４は本発明者らが考案した第２の参考例に係わるエスカレータの欄干梱包方法を説明する正面図、図５は図４に示す第２の参考例の欄干梱包方法を説明する側面図である。なお、図４、図５において前述した図１〜図３、図７に示すものと同等のものには同一符号を付してある。
【００３０】
図４に示す第２の参考例に係る欄干梱包方法では、前述した図１〜図３に示すものと比べて、梱包箱８内に欄干倒れ防止ストッパ１７を追加して設けたことが異なっており、その他の構成は基本的に同様である。欄干倒れ防止ストッパ１７は、図５に示すように梱包箱８の上部に取付けられ、下部欄干１上の欄干フレーム１８より大きい係合溝１９を備えている。
【００３１】
この第２の参考例の欄干梱包方法にあっては、梱包箱８の底板８ａに下部欄干１を固定用ブラケット６、７を介して固定するとともに、下部欄干１上の欄干フレーム１８が欄干倒れ防止ストッパ１７の係合溝１９に係合しているので、下部欄干１の横方向（すなわち図５の左右方向）への振動が抑制される。
【００３２】
このように構成した第２の参考例では、下部欄干１を梱包箱８で梱包して運搬する際に、下部欄干１の転倒をより確実に防止することができる。
【００３３】
図６は本発明の一実施形態に係わるエスカレータの欄干梱包方法を説明する正面図である。なお、図６において前述した図１〜図５、図７に示すものと同等のものには同一符号を付してある。
【００３４】
図６に示す本実施形態の欄干梱包方法では、前述した図１〜図３に示すものと比べて、前述した固定用ブラケット６、７とはそれぞれ異なる固定用ブラケット２０、２１を用いて下部欄干１を所定の角度θをつけて梱包箱２２に固定したことが異なっており、その他の構成は基本的に同様である。
【００３５】
固定用ブラケット２０の高さは、前述した固定用ブラケット６とほぼ同じ高さに設定されているが、他の固定用ブラケット２１の高さは、前述した固定用ブラケット７よりかなり低く設定されており、その結果、下部欄干１の左右端部がほぼ同じ高さに配置されている。
【００３６】
本実施形態の欄干梱包方法にあっては、固定用ブラケット２０、２１上に下部欄干１を載置して、この下部欄干１の締結部４、５および固定用ブラケット６、７をそれぞれで図示しない締結ボルトを介して締結し、これらの下部欄干１および固定用ブラケット２０、２１を梱包箱２２に入れて、この梱包箱２２の底板２２ａに固定用ブラケット２０、２１を固定するようになっている。このとき、下部欄干１の下側水平部分が梱包箱２２の底板２２ａに対して所定の角度θで傾いており、下部欄干１の高さおよび長さがそれぞれ比較的小さくなっている。
【００３７】
このように構成した本実施形態にあっては、梱包箱２２の高さ寸法Ｈ２、長さ（長手方向）寸法Ｗ２をそれぞれ比較的小さく設定することができ、梱包、運搬、搬入作業が比較的容易で安価な梱包ができる。なお、図１に示すように下部欄干１を通常の設置状態で梱包すると、高さ寸法Ｈ１、長さ寸法Ｗ１がそれぞれ大きくなり梱包箱８のコストが上がるだけでなくスペースをとる。
【００３８】
また、上記参考例、及び実施形態では、梱包箱８、２２、固定用ブラケット６、７、２０、２１、欄干倒れ防止ストッパ１７はそれぞれ使いまわしが可能なものとすることもでき、この場合には、下部欄干１の梱包、運搬を比較的安価に行なえる。
【００３９】
なお、上記参考例、及び実施形態では、下部欄干１の梱包方法のみに関して例示したが、本発明はこれに限らず、図７に示す上部欄干２などの梱包方法に関しても同様である。
【００４０】
【発明の効果】
以上説明したように、本発明の請求項１に係わる発明では、２個以上の固定用ブラケットで欄干を梱包箱に固定して梱包や運搬時に欄干の転倒を防止することができ、欄干の梱包や運搬を容易にしかも確実に行なえる。したがって、欄干の交換を含む乗客コンベアのリニューアル工事などの作業効率を向上できるという効果がある。また、梱包箱の高さ寸法、長さ寸法をそれぞれ比較的小さく設定することができ、したがって、欄干の梱包、運搬、搬入作業が比較的容易であり安価な梱包ができるという効果がある。
【００４１】
また、本発明の請求項２に係わる発明では、固定用ブラケット上に欄干を乗せた後に、この欄干の締結部の取付け穴に締結ボルトを挿入して締め込むことができ、固定用ブラケットと欄干とを容易に締結することができる。したがって、乗客コンベアのリニューアル工事などの作業効率をさらに向上できるという効果がある。
【００４２】
また、本発明の請求項３に係わる発明では、固定用ブラケットと欄干とを締結する際に、固定用ブラケットの位置決めストッパに欄干の所定部位を当てることで位置決めを容易に行なえる。したがって、この点でも乗客コンベアのリニューアル工事などの作業効率を向上できるという効果がある。
【００４３】
また、本発明の請求項４に係わる発明では、欄干を梱包箱で梱包して運搬する際に欄干倒れ防止ストッパで欄干の振動を抑制でき、欄干の転倒を確実に防止することができる。
【００４４】
また、本発明の請求項５に係わる発明では、梱包箱および固定用ブラケットを使用した後にそれぞれ使いまわすことによって、欄干の梱包、運搬を比較的安価に行なえる。
【図面の簡単な説明】
【図１】  本発明者らが考案した第１の参考例に係わるエスカレータの欄干梱包方法を説明する正面図である。
【図２】  図１に示す第１の参考例に設けられる固定用ブラケットの斜視図である。
【図３】  図１に示す第１の参考例に設けられる固定用ブラケットの変形例を示す斜視図である。
【図４】  本発明者らが考案した第２の参考例に係わるエスカレータの欄干梱包方法を説明する正面図である。
【図５】  図４に示す第２の参考例の欄干梱包方法を説明する側面図である。
【図６】  本発明の一実施形態に係わるエスカレータの欄干梱包方法を説明する正面図である。
【図７】  一般的なエスカレータの全体構造を示す側面図である。
【符号の説明】
１  下部欄干
６、７  固定用ブラケット
８  梱包箱
８ａ  底板
１２  ノッチ穴
１６  位置決めストッパ
１７  欄干倒れ防止ストッパ
１８  欄干フレーム
１９  係合溝
２０、２１  固定用ブラケット
２２  梱包箱
２２ａ  底板
【図１】
0004298192.tif 000002
【図２】
0004298192.tif 000003
【図３】
0004298192.tif 000004
【図４】
0004298192.tif 000005
【図５】
0004298192.tif 000006
【図６】
0004298192.tif 000007
【図７】
0004298192.tif 000008